(57)【要約】【課題】従来に比べて遺失物の落とし主を容易に検索することのできる落とし主検索システムを提供する。【解決手段】忘れ物管理サーバが、サービス提供者の識別情報を少なくとも含む管理用情報と、管理対象物の属性情報、当該管理対象物を保持するユーザの属性情報との入力用の画面情報を前記利用者端末へ送信し、画面情報に入力された管理用情報と、前記管理対象物の属性情報と、前記ユーザの属性情報とを受信して、それらを対応付けてデータベースへ登録する。また利用者端末より落とし主検索用の前記管理用情報または前記管理対象物の属性情報の何れか一方または両方を受信して、当該管理用情報または管理対象物の属性情報に対応付けて前記データベースに記録されているユーザの属性情報を検索する。【選択図】図１
2007323388.tif 000002
【特許請求の範囲】
【請求項１】
忘れ物管理サーバと利用者端末とを備えた落とし主検索システムであって、
前記忘れ物管理サーバが、
サービス提供者の識別情報を少なくとも含む管理用情報と、管理対象物の属性情報と、当該管理対象物を保持するユーザの属性情報との入力用の画面情報を前記利用者端末へ送信する入力用画面送信手段と、
前記画面情報に入力された管理用情報と、前記管理対象物の属性情報と、前記ユーザの属性情報とを受信して、それらを対応付けてデータベースへ登録する登録手段と、
前記利用者端末より落とし主検索用の前記管理用情報または前記管理対象物の属性情報の何れか一方または両方を受信して、当該管理用情報または管理対象物の属性情報に対応付けて前記データベースに記録されているユーザの属性情報を検索するユーザ属性情報検索手段と、
を備えることを特徴とする落とし主検索システム。
【請求項２】
前記登録に応じて登録証明書情報を生成する登録証明書情報生成手段と、
前記登録証明書情報を利用者端末へ通知する登録証明書情報通知手段と、
を備えることを特徴とする請求項１に記載の落とし主検索システム。
【請求項３】
前記画面情報の送信先の利用者端末と、前記登録証明書情報の送信先の利用者端末は、異なる利用者端末である
ことを特徴とする請求項２に記載の落とし主検索システム。
【請求項４】
前記検索の結果、ユーザの属性情報が検索できた場合には、当該ユーザの属性情報で示される利用者端末へ、前記検索に利用した前記管理用情報または管理対象物の属性情報を通知する遺失物発見通知手段
を備えることを特徴とする請求項１に記載の落とし主検索システム。
【請求項５】
前記落とし主検索用の前記管理用情報または前記管理対象物の属性情報を送信した利用者端末へ、ポイント情報を通知するポイント情報通知手段と、
を備えることを特徴とする請求項１に記載の落とし主検索システム。
【請求項６】
忘れ物管理サーバと利用者端末とを備えた落とし主検索システムにおける落とし主検索方法であって、
前記忘れ物管理サーバの入力用画面送信手段が、サービス提供者の識別情報を少なくとも含む管理用情報と、管理対象物の属性情報と、当該管理対象物を保持するユーザの属性情報との入力用の画面情報を前記利用者端末へ送信し、
前記忘れ物管理サーバの登録手段が、前記画面情報に入力された管理用情報と、前記管理対象物の属性情報と、前記ユーザの属性情報とを受信して、それらを対応付けてデータベースへ登録し、
前記忘れ物管理サーバのユーザ属性情報検索手段が、前記利用者端末より落とし主検索用の前記管理用情報または前記管理対象物の属性情報の何れか一方または両方を受信して、当該管理用情報または管理対象物の属性情報に対応付けて前記データベースに記録されているユーザの属性情報を検索する
ことを特徴とする落とし主検索方法。
【請求項７】
前記忘れ物管理サーバの登録証明書情報生成手段が、前記登録に応じて登録証明書情報を生成し、
前記忘れ物管理サーバの登録証明書情報通知手段が、前記登録証明書情報を利用者端末へ通知する
ことを特徴とする請求項６に記載の落とし主検索方法。
【請求項８】
前記画面情報の送信先の利用者端末と、前記登録証明書情報の送信先の利用者端末は、異なる利用者端末である
ことを特徴とする請求項７に記載の落とし主検索方法。
【請求項９】
前記忘れ物管理サーバの遺失物発見通知手段が、前記検索の結果、ユーザの属性情報が検索できた場合には、当該ユーザの属性情報で示される利用者端末へ、前記検索に利用した前記管理用情報または管理対象物の属性情報を通知する
ことを特徴とする請求項６に記載の落とし主検索方法。
【請求項１０】
前記忘れ物管理サーバのポイント情報通知手段が、前記落とし主検索用の前記管理用情報または前記管理対象物の属性情報を送信した利用者端末へ、ポイント情報を通知する
ことを特徴とする請求項６に記載の落とし主検索方法。
【発明の詳細な説明】
【技術分野】
【０００１】
本発明は、遺失物の拾得者から入力された情報に基づいて、当該遺失物を落とした落とし主を検索する落とし主検索システム及び落とし主検索方法に関する。
【背景技術】
【０００２】
外出する際に、持ち出さなければならない物を忘れていないか、また帰宅時に持ち出した物を途中で落とすことなく全て持ち帰ったかを検出する技術として、例えば、所有する持ち物である財布、カードケース、薬袋あるいは書類袋等の各々に、それぞれを特定する特定情報を記憶した非接触型カードを装入させておき、更に外出に先立ち、出かけるときに持ち出しを忘れてはならない物の特定情報をコンピュータへ登録しておくことにより、外出時において、玄関等に置かれた物品検知装置により、身につけている物、カバンに入れている物の特定情報を検知し、事前に登録した特定情報と照合し、物品検知装置で検知できなかった特定情報を抽出し、抽出した特定情報に対応した物を忘れ物として通知する技術がある（例えば、特許文献１参照）。またこのような技術を用いて、帰宅時にあっても外出時と同じ処理を行うことにより、外出中での落とし物の有無および何を落としたかを知ることが可能になる。しかしながら外出中での落とし物の有無および何を落としたかを知る上述の技術では、落とし主は何を落としたかを特定することはできるが、落とし物を拾得した拾得者側は、落とし物に装入されている非接触型カードの特定情報を読み出せないため、落とし主を特定することができない。
【０００３】
また、自転車が放置されていたときに所有者を見つけるシステムとしては、自転車防犯登録システムがある。これは自転車へ適用することに特化したシステムであり、自転車販売店が購入者(所有者)の住所・氏名等を記載した「登録カード」を作成し、システム運用者に提出して登録を行い、またシステム運用者が予めつくった「登録証(ステッカー)」を自転車の車体に貼り付けるものである。これにより、放置されている自転車があったとき、自転車の車体に貼り付けられた登録証を見ることにより、コンピュータシステムで所有者を割り出すことが可能になる(例えば、非特許文献１参照)。しかしながらこれらの自転車防犯登録システムでは、登録証(ステッカー)が脱落したときには落とし主を特定し、落とし主に連絡することができない。
【０００４】
また、遺失物が見つかったことを所有者に知らせるサービスとして遺失物発見通知および回収代行サービス「Ｌｏｓｔ＆Ｆｏｕｎｄ」がある(例えば、非特許文献２参照)。これは利用者がコールセンタの電話番号とＩＤが入ったタグシールを購入し、物品に貼り付けるとともに、ＩＤに対応した連絡先をＷｅｂ上から登録し、また遺失物を拾得した拾得者は、遺失物に貼ってあるタグシールを見てコールセンタに電話し、コールセンタはＩＤから落とし主を特定し、落とし主に連絡するものである。これにより、落し物をしたとき、それが拾得された場合は、コールセンタから遺失物発見の連絡をもらうことが可能になる。しかしながらこれらの遺失物発見通知および回収代行サービス「Ｌｏｓｔ＆Ｆｏｕｎｄ」では、タグシールが脱落したときには落とし主を特定し、落とし主に連絡することができない。
【特許文献１】特開２００４−０７８３１９号公報
【非特許文献１】“自転車防犯登録講座”、「online」、「平成１８年５月２５日検索」、インターネット＜ＵＲＬ：http://www.bouhan-net.com/＞
【非特許文献２】“Ｎｅｗｓ＆Ｔｏｐｉｃｓ２００４，失くした大切なもの見つけます。遺失物発見時通知＆回収サービスの「Lost&Found」がスタート”、「online」、「平成１８年５月２５日検索」、インターネット＜ＵＲＬ：http://www.sanwa.co.jp/news/200404/200404_04.html＞
【発明の開示】
【発明が解決しようとする課題】
【０００５】
上述したような、遺失物を拾得した拾得者から送信される情報により落とし主を特定する技術にあっては、拾得者が遺失物に装入された非接触型カードから当該遺失物を特定するための特定情報を容易に読み出すことができないという問題があった。またＩＤ番号が記入されたタグなどを貼り付ける仕組みでは、遺失物からＩＤ番号が脱落してしまうと、落とし主を特定し、落とし主に連絡することができないという問題があった。
【０００６】
そこでこの発明は、従来に比べて遺失物の落とし主を容易に検索することのできる落とし主検索システム及び落とし主検索方法を提供することを目的としている。
【課題を解決するための手段】
【０００７】
上記目的を達成するために、本発明は、忘れ物管理サーバと利用者端末とを備えた落とし主検索システムであって、前記忘れ物管理サーバが、サービス提供者の識別情報を少なくとも含む管理用情報と、管理対象物の属性情報と、当該管理対象物を保持するユーザの属性情報との入力用の画面情報を前記利用者端末へ送信する入力用画面送信手段と、前記画面情報に入力された管理用情報と、前記管理対象物の属性情報と、前記ユーザの属性情報とを受信して、それらを対応付けてデータベースへ登録する登録手段と、前記利用者端末より落とし主検索用の前記管理用情報または前記管理対象物の属性情報の何れか一方または両方を受信して、当該管理用情報または管理対象物の属性情報に対応付けて前記データベースに記録されているユーザの属性情報を検索するユーザ属性情報検索手段と、を備えることを特徴とする落とし主検索システムである。
【０００８】
また本発明は、前記登録に応じて登録証明書情報を生成する登録証明書情報生成手段と、前記登録証明書情報を利用者端末へ通知する登録証明書情報通知手段と、を備えることを特徴とする。
【０００９】
また本発明は、前記画面情報の送信先の利用者端末と、前記登録証明書情報の送信先の利用者端末は、異なる利用者端末であることを特徴とする。
【００１０】
また本発明は、前記検索の結果、ユーザの属性情報が検索できた場合には、当該ユーザの属性情報で示される利用者端末へ、前記検索に利用した前記管理用情報または管理対象物の属性情報を通知する遺失物発見通知手段を備えることを特徴とする。
【００１１】
また本発明は、前記落とし主検索用の前記管理用情報または前記管理対象物の属性情報を送信した利用者端末へ、ポイント情報を通知するポイント情報通知手段と、を備えることを特徴とする。
【００１２】
また本発明は、忘れ物管理サーバと利用者端末とを備えた落とし主検索システムにおける落とし主検索方法であって、前記忘れ物管理サーバの入力用画面送信手段が、サービス提供者の識別情報を少なくとも含む管理用情報と、管理対象物の属性情報と、当該管理対象物を保持するユーザの属性情報との入力用の画面情報を前記利用者端末へ送信し、前記忘れ物管理サーバの登録手段が、前記画面情報に入力された管理用情報と、前記管理対象物の属性情報と、前記ユーザの属性情報とを受信して、それらを対応付けてデータベースへ登録し、前記忘れ物管理サーバのユーザ属性情報検索手段が、前記利用者端末より落とし主検索用の前記管理用情報または前記管理対象物の属性情報の何れか一方または両方を受信して、当該管理用情報または管理対象物の属性情報に対応付けて前記データベースに記録されているユーザの属性情報を検索することを特徴とする落とし主検索方法である。
【００１３】
また本発明は、前記忘れ物管理サーバの登録証明書情報生成手段が、前記登録に応じて登録証明書情報を生成し、前記忘れ物管理サーバの登録証明書情報通知手段が、前記登録証明書情報を利用者端末へ通知することを特徴とする。
【００１４】
また本発明は、前記画面情報の送信先の利用者端末と、前記登録証明書情報の送信先の利用者端末は、異なる利用者端末であることを特徴とす。
【００１５】
また本発明は、前記忘れ物管理サーバの遺失物発見通知手段が、前記検索の結果、ユーザの属性情報が検索できた場合には、当該ユーザの属性情報で示される利用者端末へ、前記検索に利用した前記管理用情報または管理対象物の属性情報を通知することを特徴とする。
【００１６】
また本発明は、前記忘れ物管理サーバのポイント情報通知手段が、前記落とし主検索用の前記管理用情報または前記管理対象物の属性情報を送信した利用者端末へ、ポイント情報を通知することを特徴とする。
【発明の効果】
【００１７】
本発明によれば、落し物を拾得したの拾得者は、その拾得物に添付されている管理番号、または拾得物の属性情報を登録するだけで、容易に拾得物を登録することができる。また、拾得物の属性情報によって、その落とし主を検索できるので、管理番号が拾得物に添付されていない場合でも、その拾得物が管理対象物として登録されていれば、容易にその落とし主を検索することができる。つまり、従来に比べて遺失物の落とし主を容易に検索することができる。
【発明を実施するための最良の形態】
【００１８】
以下、本発明の一実施形態による落とし主検索システムを図面を参照して説明する。図１は同実施形態による落とし主検索システムの構成を示すブロック図である。この図において、符号１は通信ネットワークである。そして、落とし主検索システムでは、忘れ物管理サーバ装置２と、拾得者の端末装置４ａと、落とし主の端末装置４ｂと、落とし主の代行者の端末装置４ｃとが通信ネットワーク１を介して接続されている。各端末はＰＣ（Personal Computer）、携帯電話、ＩＰ電話、ＰＤＡ（Personal Digital Assistant）などである。
【００１９】
図２は端末装置と忘れ物管理サーバ装置の機能ブロック図である。
図２に示すように忘れ物管理サーバ装置２は、管理番号入力画面送信部２１、申請受信部２２、登録部２３、登録蓄積部２４、登録証明通知部２５、遺失物拾得受信部２６、落とし主検索部２７、遺失物発見送信部２８、ポイント送信部２９を備えている。
そして、管理番号入力画面送信部２１は、上述した管理番号のうち子番号の入力を促す画面を生成して端末装置へ送信する。また申請受信部２２は、利用者の端末装置（４ｂ、４ｃ）から送信される管理番号を含む申請情報を受信する。また登録部２３は、受信した申請情報の登録を行う。また登録蓄積部２４は、申請情報を蓄積する。また登録証明通知部２５は、登録したことを証明する登録証明情報を利用者の端末装置４に送信する。また遺失物拾得受信部２６は、利用者（拾得者）の端末装置４ａから送信される遺失物拾得情報を受信する。また落とし主検索部２７は、遺失物拾得情報に基づいて、落とし主の特定あるいは絞り込みを行う。また遺失物発見送信部２８は、遺失物が見つかったとき利用者（落とし主）の端末装置４ｂに遺失物発見情報を送信する。またポイント送信部２９は、利用者（拾得者）の端末装置４ａにポイント情報を送信する。
【００２０】
また利用者（拾得者、落とし主、代行者）の端末装置４（４ａ，４ｂ，４ｃ）は、管理番号入力画面受信部４１、申請送信部４２、登録証明受信部４３、遺失物拾得送信部４４、遺失物発見受信部４５、ポイント受信部４６を備えている。
そして、管理番号入力画面受信部４１は、忘れ物管理サーバ装置２から送信される画面情報を受信する。また申請送信部４２は、忘れ物管理サーバ装置２に申請情報を送信する。また登録証明受信部４３は、忘れ物管理サーバ装置２から送信される登録証明情報を受信する。また遺失物拾得送信部４４は、忘れ物管理サーバ装置２に遺失物拾得情報を送信する。また遺失物発見受信部４５は、忘れ物管理サーバ装置２から送信される遺失物発見情報を受信する。またポイント受信部４６は、忘れ物管理サーバ装置２から送信されるポイント情報を受信する。
【００２１】
そして、落とし主検索システムでは、まず、利用者（落とし主）またはその代行者が、端末装置４ｂ，４ｃを用いて管理対象物の管理番号や、利用者の住所、氏名、連絡先、更には管理番号を付ける管理対象物の属性情報（管理対象物の名称、色、形状など）をサービス提供者が運営している忘れ物管理サーバ装置２に送信する。そして忘れ物管理サーバ装置２は送られてきた管理番号をチェックし、ＯＫであれば登録し、登録したことを示す登録証明書を端末装置４ｂ，４ｃに返信する。これにより利用者はサービスが受けられるようになり、利用者の所有する管理対象物に、好みのシール等に管理番号を記入し貼り付ける。そして、当該管理対象物を落とした場合には、それを拾得した拾得者が端末装置４ａを使い遺失物についている管理番号を忘れ物管理サーバ装置２に送る。管理番号が脱落している場合はその拾得物の属性情報（名称、色、形状など）を、忘れ物管理サーバ装置２に送信する。忘れ物管理サーバ装置２は送られてきた管理番号、あるいは属性情報に基づいて落とし主の特定、あるいは絞り込みを行い、利用者（落とし主）の端末装置４ｂに通知する。また忘れ物管理サーバ装置２は、利用者（拾得者）の端末装置４ａに一定のポイントを与える処理を行う。そして、サービス提供者は遺失物を落とし主に渡すときには登録証明書あるいは登録証明情報を所持していることの確認を行う。
【００２２】
図３は管理番号の体系を示す図である。
この図では（１）〜（３）の３つの管理番号の体系を示している。まず、（１）で示す管理番号は、「サービス提供者の識別記号あるいは数字」＋「管理対象物の識別記号あるいは数字」からなる番号である。また（２）で示す管理番号は、「サービス提供者の識別記号あるいは数字」＋「管理対象物を保持する利用者の識別記号あるいは数字」からなる番号である。また（３）で示す管理番号は、「サービス提供者の識別記号あるいは数字」＋「代行者の識別記号あるいは数字」＋「管理対象物の識別記号あるいは数字」からなる番号である。ここで、（１）〜（３）の３つの管理番号の体系において、「サービス提供者の識別記号あるいは数字」を親番号、その他の管理番号における情報を子番号とする。そして、忘れ物管理サーバ装置２においては、親番号を生成する。また忘れ物管理サーバ装置２は、生成した親番号を表示し、かつ、その親番号に繋がる子番号の入力を受付ける為の画面情報を生成して、管理対象物の登録をする利用者（将来落とし主となる可能性の有る利用者や代行者）の端末装置４（４ｂ，４ｃ）へ送信する処理を行っている。管理対象物の登録をする利用者は、「管理対象物の識別記号あるいは数字」や「管理対象物を保持する利用者の識別記号あるいは数字」や「代行者の識別記号あるいは数字」などの子番号を入力して、管理対象物の忘れ物管理サーバ装置２への登録申請を行う。
【００２３】
図４は、落とし主検索システムの動作例を示すシーケンスチャートである。
次に、図４を用いて本システムの動作について詳細に説明する。
まず利用者またはその代行者が端末装置４（４ｂまたは４ｃ）を用いて、忘れ物管理サーバ装置２へアクセスし、登録要求を行うと（ステップＳ１）、忘れ物管理サーバ装置２の管理番号入力画面送信部２１は、管理番号のうち親番号を生成し、当該親番号を表示するとともにその親番号に繋がる子番号の入力を促す入力画面を生成してアクセスしてきた端末装置４へ送信する（ステップＳ２）。なおこの画面には利用者の属性情報、例えば、住所、氏名、連絡先（メールアドレス、電話番号など）、管理対象物の属性情報（物の名称、形状、色など）を入力する欄が設けられている。
【００２４】
次に端末装置４の管理番号入力画面受信部４１が当該画面情報を受信して、画面上に表示する。そして、利用者やその管理者は表示された画面において管理番号のうちの子番号を入力し、また利用者の属性情報と、管理対象物の属性情報とを入力して申請登録を指示する。すると利用者端末装置４の申請送信部４２が、管理番号、利用者の属性情報、管理対象物の属性情報を保持した申請情報を忘れ物管理サーバ装置２へ送信する（ステップＳ３）。
【００２５】
忘れ物管理サーバ装置２において申請受信部２２が申請情報を受信すると（ステップＳ４）、登録部２３は申請情報に含まれる管理番号が既に登録蓄積部２４に登録されているか否かを判定する（ステップＳ５）。そして登録部２３は申請情報に含まれる管理番号が登録蓄積部２４に登録されていなければ、受信した申請情報に格納されている管理番号、利用者の属性情報、管理対象物の属性情報を対応付けて登録蓄積部２４へ登録する（ステップＳ６）。そして登録部２３は登録証明書情報を生成する。登録証明書情報は登録証明通知部２５によって端末装置４へ送信される（ステップＳ７）。また端末装置４では登録証明受信部４３が受信して表示画面などに表示する（ステップＳ８）。また登録証明書情報には管理番号が格納されており、表示画面には登録された管理番号が表示される。利用者やその代行者は表示画面に表示された管理番号に基づいて、シールなどを作成して、管理対象物に添付しておく。このシールは管理対象物の形状や材質や色彩に合うように、利用者や代行者が大きさ、色、形状などを決定することができる。
【００２６】
次に、利用者が管理対象物を落とした場合の処理について説明する。
利用者によって登録されている管理対象物を遺失物として拾得者が拾得すると、拾得者は端末装置４ａを用いて、忘れ物管理サーバ装置２へアクセスする（ステップＳ９）。そして、アクセス後に端末装置４ａに表示された画面において遺失物拾得登録の画面への移行を指示する。すると忘れ物管理サーバ装置２では、遺失物拾得登録画面を端末装置４ａへ送信する（ステップＳ１０）。この遺失物拾得登録画面では、拾得物に添付されている管理番号や、その拾得物の属性情報を入力する欄が設けられている。拾得者は、当該遺失物拾得登録画面において、拾得物の管理番号または属性情報を入力し、拾得物登録を指示する。
【００２７】
拾得者の端末装置４ａでは遺失物拾得送信部４４が拾得物登録の指示に応じて、遺失物拾得登録画面に入力された管理番号や拾得物の属性情報を格納した遺失物拾得情報を忘れ物管理サーバ装置２へ送信する（ステップＳ１１）。すると忘れ物管理サーバ装置２の遺失物拾得受信部２６が受信した遺失物拾得情報に格納されている管理番号や拾得物の属性情報を落とし主検索部２７へ通知する。落とし主検索部２７は受付けた管理番号や拾得物の属性情報に基づいて、拾得者の拾得した拾得物を管理対象物として登録した利用者を検索する（ステップＳ１２）。つまり、落とし主検索部２７は、管理番号や拾得物の属性情報に対応付けられて登録蓄積部２４に記録されている利用者の属性情報を検索する。そして拾得物を管理対象物として登録した利用者の属性情報が検索できた場合には、その属性情報のうちメールアドレスなどの連絡の情報を読み取る。連絡がメールアドレスである場合には、遺失物発見送信部２８が当該メールアドレスに対して、拾得物として登録された管理対象物の管理番号や属性情報を記述したメールを送信する（ステップＳ１３）。これにより、落とし主（利用者）の端末装置４ｂへ遺失物発見情報となるメールが送信される。
【００２８】
またこのメールには、忘れ物管理サーバ装置２へアクセスして登録証明書に記載されている管理番号などの入力するためのＵＲＬが記載され、落とし主（利用者）がこのＵＲＬにアクセスして管理番号を入力することにより、忘れ物管理サーバ装置２が落とし主を認定するようにしても良い。そして忘れ物管理サーバ装置２は検索した利用者を落とし主と認定した場合には、例えば、管理者などにその旨を通知する情報を送信することで、管理者が、拾得者から拾得物を譲り受け、落とし主に郵送するサービスを行うようにしてもよい。または忘れ物管理サーバ装置２は、検索した利用者が落とし主であると認定した場合には、拾得者の端末装置４ａに対して利用者の連絡先をメール等で通知し、拾得者と、落とし主との間で拾得物となった管理対象物の受け渡しが行われるようにしても良い。そして、忘れ物管理サーバ装置２のポイント送信部２９は、ポイントを生成して（ステップＳ１４）、拾得者の端末装置４ａへポイントを送信する（ステップＳ１５）。例えば拾得者はこのポイントを集めることによって、何らかのサービスが受けられるようにしても良い。
【００２９】
以上、落とし主検索システムの処理フローについて説明したが、本発明を実施するための最良の形態によれば、拾得者は、その拾得物に添付されている管理番号、または拾得物の属性情報を登録するだけで、容易に拾得物を登録することができる。また、拾得物の属性情報によって、その落とし主を検索できるので、管理番号が拾得物に添付されていない場合でも、その拾得物が管理対象物として登録されていれば、容易にその落とし主を検索することができる。つまり、従来に比べて遺失物の落とし主を容易に検索することができる。
【００３０】
なお、上述の各装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３１】
また、「コンピュータシステム」は、ホームページ提供環境（あるいは表示環境）を備えたＷＷＷシステムも含むものとする。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３２】
【図１】落とし主検索システムの構成を示すブロック図である。
【図２】端末装置と忘れ物管理サーバ装置の機能ブロック図である。
【図３】管理番号の体系を示す図である。
【図４】落とし主検索システムの動作例を示すシーケンスチャートである。
【符号の説明】
【００３３】
１・・・通信ネットワーク
２・・・忘れ物管理サーバ装置
４ａ・・・利用者（拾得者）の端末装置
４ｂ・・・利用者（落とし主）の端末装置
４ｃ・・・利用者（代行者）の端末装置
【図１】
2007323388.tif 000003
【図２】
2007323388.tif 000004
【図３】
2007323388.tif 000005
【図４】
2007323388.tif 000006